(57)【特許請求の範囲】
【請求項１】
複数のオーディオ入力部と複数のオーディオ出力部を有し、１のオーディオ入力部と１または２以上のオーディオ出力部との接続を切り換える切換手段と、
複数のオーディオ入力について切換手段の１または２以上のオーディオ出力部から出力されたそれぞれのオーディオ信号を処理するための各種パラメータ回路をそれぞれ含む複数のチャンネル、およびそれぞれのチャンネルからの処理済みのオーディオ信号出力を複数の出力先の１に接続するルーティング部を有するミキシングアンプと、
切換手段とミキシングアンプとに接続され、外部から入力されるトリガー信号に応じて切換手段とミキシングアンプを制御する制御手段とを備え、
入力されたトリガー信号に基づいて各チャンネルの各パラメータ回路による音声処理手順で音声処理を行なう音声多重処理型ミキシングシステムであって、
制御手段は、前記パラメータ回路による音声処理手順として、互いに異なる複数の音声ソフトのそれぞれの制作に必要な音声処理のための各種パラメータをミキシングアンプのチャンネル単位で所定順序に記憶する記憶部を有し、
制御手段は更に、トリガー信号の入力に応答して、ミキシングアンプの各チャンネルに対して出力するために切換手段内のオーディオ入力部とオーディオ出力部が接続されているかどうか検索し、
接続されず空いているオーディオ出力部に前記切換手段の１のオーディオ入力部を接続し、
この１のオーディオ入力部と接続されたオーディオ出力部に接続されて切換手段からオーディオ信号が入力されるミキシングアンプの各チャンネルのパラメータ回路とルーティング部に、トリガー信号に対応して制御手段の記憶部から各パラメータを送出して音声処理を行ない、ルーティング部を介して所定出力先に処理信号を送出することを特徴とする音声多重処理型ミキシングシステム。
【発明の詳細な説明】
【０００１】
【発明の属する技術分野】
本発明はテレビ、ラジオなどの音声ソフト制作に使用されるミキシングシステムに関し、特にスポーツ中継などの音声ソフトのように、多入力を高速で確実に処理し、多出力にも対応する必要があり、しかも装置が小型軽量であることを要求される音声多重処理型ミキシングシステムに関する。
【０００２】
【従来の技術】
従来、スポーツ番組制作では、競技者の音声など競技にかかる音声を収音し、ミキシングして効果音（ＳＥ）として番組の音響効果を上げている。特に冬のスポーツにおいて、ジャンプ、滑降競技、回転、リュージュ、ボブスレーなど長距離を高速で時間を争う競技では、収音マイクも３０〜４０本近く使用しなければならない上、選手をフォローするカメラの切り換えなどにあわせて速いタイミングでミキシングを行う必要がある。このほか、陸上競技のトラックでは、４００ｍ前後のトラックの円周上に１０本近くのマイクをセットし、選手の移動にあわせてミキシングを行っている。また、サッカー中継ではサッカーフィールドの周囲に１０本のマイクをセットし、ボールの動きにあわせて素早くこれらのマイクを切り換えてミキシングしている。さらに、自動車やオートバイレースのように被写体が数１００ｋｍの高速で移動する場合もある。
【０００３】
このように、選手などの被写体にあわせて、しかもカメラの切り換えのタイミングなどにそって、確実にマイクをフォローする必要のあるスポーツ中継のミキシングをするための従来のＳＥ処理では、必要なマイクをそれぞれ主たるミキシング位置まで、長距離にわたりマイクケーブルを敷設して音声を入力し、それらのマイクの音声をテレビモニターを監視しながら画面にあわせてミクサー（ミキシングオペレータ）自身の手でミキシングしている。
【０００４】
現在のミキシングは、このようなマニュアルミキシングが基本となっているため、速い被写体の動きや画面の切り換えに対応するには、マニュアルでマイクを切り換える代わりに、カメラタリー（tally）を中継車から取り出し、このカメラタリー信号（そのカメラがいま放送中であることを知らせるための信号）でマイクを切り換えるといった手法が従来より行われている。このマイク切り換えを行うタリー制御装置は、マイク１本に１つの入力チャンネルを設定し、このチャンネルを制御させるタリーを予めセットし、そのタリー信号でこのマイクチャンネルをオン、オフさせ、これによりミクサーの負担を軽減させるものである。従来装置の役割はマニュアルミキシングのサポート用という考えのため、複数のマイクを１つのタリー信号でミキシングするという形態を今まで取らせなかった。
【０００５】
また、リモート制御のミキシングアンプも現在開発されているが、これは離れたところに設置した出先装置に、マイクなどの音声信号を入力し、ミクサーの手元に置かれた制御装置でミクサー自身の手でリモートミキシングさせるようにしたものである。これはあくまでミクサー自身の手でミキシングするものであって自動的にミキシング動作はしない。
【０００６】
コンピュータミックスなどのスタジオでの自動ミキシングに使用されている制御信号には、連続して続いているＳＭＰＴＥタイムコードやタックパルス、それ自身に制御情報を含んでいる連続したＭＩＤＩ（Musical instrument digital interface）信号等あるが、不連続でかつ任意のタリー信号などは、そのミキシングの目的には使われていない。
【０００７】
自動ミキシングシステムについては、スタジオ制作に対応するコンピュータミックスシステムが一般的に稼働している。これは、ＳＭＰＴＥタイムコード又はタックパルス等を時間軸として、リハーサル時の各音声入力チャンネルのミキシング制御データを記録し、本番時にこれらのデータにより各マイクチャンネルを制御し、リハーサル時と同じ時間軸に対して、まったく同じミキシング動作を再現させるものである。マルチトラックレコーダを利用した音楽編集システムでの作業（一般に、ＭＡ作業という）では、これが再生される映像とＳＭＰＴＥ信号で同期運転し、映像に合った音作りのためにもこれらのシステムが使用される。これらのケースは、すべて制御のための時間軸信号に、連続したタイムコードのような時間軸の固定した、基準となる時間信号をもとにミキシングパラメータを設定して記録し、これらのタイムコードを再生させてパラメータを再現させるものである。従って、これらの従来ケースでは時間軸の変動はない。また、これらの従来例の場合は、外部から取り込まれた検知信号や、カメラタリー信号をもとに、リアルタイムでスポーツ中継番組等の音楽ソフトの制作をサポートするものではない。
【０００８】
【発明が解決しようとする課題】
図６は、自動車レース競技における音声ソフト制作の一例を示したものである。この例ではサーキットの一部であるＡ地点からＢ地点までが１台のカメラの視野であり、その距離は約５００ｍであるとする。そして、Ｍ１〜Ｍ５の５本のマイクでこの範囲の音を収音するとする。いま、被写体であるレーシングカー１１が時速約３００ｋｍで通過するとすれば、各マイクＭ１〜Ｍ５に対してそれぞれ約１．２秒の間隔でミキシングの操作が要求されるが、このような操作は不可能に近い。このようにミクサーによるマニュアルでのミキシングでは、対処できるマイク操作には限界があり、特に速いスピードでのミキシング操作は困難である。また、前述のようにカメラタリーで１本のマイクをオン、オフ制御のできるタリー制御装置（オートフェーダー）があるが、これは単なるマイクの切り換えのみで、レベル調整等のいわゆるミキシングまではできない。また、これに入力できる検知信号もカメラタリーのみである。マイクケーブルの設営もメインミクサーの場所から収音地点までの長距離を敷設しなくてはならない。
【０００９】
さらに、例えば国際放送の音声ソフトの作成においては、１つの映像に対しサービスを行う国毎に異なったものが要求される。すなわち、その国の言語でのアナウンスを挿入する点はもちろんのこと、出場選手に対するインタビューでも上位の選手以外はその国の代表選手のインタビューを収録し、これを競技の合間にＳＥに挿入して放送することになる。このように、基本的には１つの対象物に対し複数の音声ソフトを出力する必要があり、そのための専用のミキシングアンプやミクサーを用意しなければならない等、重複した設備や、労力を必要とし、番組制作の効率が悪いといった問題があった。
【００１０】
ここで、従来のミキシングアンプの構成の概略を図７〜図９に示す。図７は基本的なミキシングアンプの構成を示したもので、各入力ＩＮ１，ＩＮ２〜ＩＮｎはそれぞれパラメータ回路Ｐ１，Ｐ２〜Ｐｎに接続され、この各パラメータ回路Ｐ１，Ｐ２〜Ｐｎの出力は、ルーティングあるいはミックスバスにより合成されて所定の出力に調整された後、所定の出力ＯＵＴ１より出力される。この時の出力ＯＵＴ１の内容は、
ＯＵＴ１＝ＩＮ１（Ｐ１）＋ＩＮ２（Ｐ２）・・・＋ＩＮｎ（Ｐｎ）
となり、また、パラメータ（Ｐ１〜Ｐｎ）は例えば時間軸、音量調整、音質調整、定位、ルーティング（ｏｎ／ｏｆｆ）等である。
【００１１】
また、図８は従来一般的に用いられているミキシングアンプの構成を示したものである。図７同様各入力ＩＮ１，ＩＮ２〜ＩＮｎはそれぞれパラメータ回路Ｐ１，Ｐ２〜Ｐｎに接続され、この各パラメータ回路Ｐ１，Ｐ２〜Ｐｎの出力は、ルーティングあるいはミックスバスにより選択、合成されて各出力ＯＵＴ１，ＯＵＴ２〜ＯＵＴｎから出力される。この時の各出力ＯＵＴ１，ＯＵＴ２〜ＯＵＴｎの内容は、
ＯＵＴ１＝ＩＮ１（Ｐ１）〜ＩＮｎ（Ｐｎ）の任意の加算
ＯＵＴ２＝ＩＮ１（Ｐ１）〜ＩＮｎ（Ｐｎ）の任意の加算
・・・・・
ＯＵＴｎ＝ＩＮ１（Ｐ１）〜ＩＮｎ（Ｐｎ）の任意の加算
となり、パラメータＰ１〜Ｐｎの内容も同一である。
【００１２】
図９は複数入力、複数出力に対応するもので、しかも、複数のパラメータを設定可能なミキシングアンプの構成を示したものである。各入力ＩＮ１，ＩＮ２〜ＩＮｎはそれぞれ各複数のパラメータ回路Ｐ１−１〜Ｐ１〜ｎ、Ｐ２−１〜Ｐ２〜ｎ、・・・Ｐｎ−１〜Ｐｎ〜ｎに接続され、この各複数のパラメータ回路Ｐ１−１〜Ｐ１〜ｎ、Ｐ２−１〜Ｐ２〜ｎ、・・・Ｐｎ−１〜Ｐｎ〜ｎの出力は、ルーティングあるいはミックスバスにより選択、合成されて各出力ＯＵＴ１，ＯＵＴ２〜ＯＵＴｎから出力される。このようにパラメータを複数持つことによって、各出力ＯＵＴ１〜ＯＵＴｎに対し、１つの入力に付きｎ個のパラメータ設定が行える。ただし、入力ＩＮ１〜ＩＮｎ×パラメータ数ｎの入力回路を必要とし、装置が非常に大規模のものとなってしまう。
【００１３】
また、ミキシングアンプは基本的には、ある時点では１つの音声入力に対応した入力ユニットのみ使用され、他の入力待ちのユニットはそのときは使用されない。このため、このような使用されない入力ユニットの有効利用が、特に屋外で中継等を行うポータブルタイプのミキシングコンソールにおいて、小型、軽量の要請に加えて、前記のような多出力に効率よく対応するためにも必要となってきた。
【００１４】
この発明はかかる点に鑑みなされたもので、その目的とするところは、複数のマイクを使用したスポーツ中継などの、多入力を高速で処理する必要がある音声ソフトの制作に的確に対処でき、しかも複数の出力に対応し、入力ユニットなどのミキシングアンプの有効利用を図り、効率よく音声ソフトを制作でき、ミキシングアンプも小型で軽量となる音声多重処理型ミキシングシステムを提供することにある。
【００１５】
【課題を解決するための手段】
上記課題を解決するため本発明は、複数のオーディオ入力部と複数のオーディオ出力部を有し、１のオーディオ入力部と１または２以上のオーディオ出力部との接続を切り換える切換手段と、複数のオーディオ入力について切換手段の１または２以上のオーディオ出力部から出力されたそれぞれのオーディオ信号を処理するための各種パラメータ回路をそれぞれ含む複数のチャンネル、およびそれぞれのチャンネルからの処理済みのオーディオ信号出力を複数の出力先の１に接続するルーティング部を有するミキシングアンプと、切換手段とミキシングアンプとに接続され、外部から入力されるトリガー信号に応じて切換手段とミキシングアンプを制御する制御手段とを備え、入力されたトリガー信号に基づいて各チャンネルの各パラメータ回路による音声処理手順で音声処理を行なう音声多重処理型ミキシングシステムであって、制御手段は、前記パラメータ回路による音声処理手順として、互いに異なる複数の音声ソフトのそれぞれの制作に必要な音声処理のための各種パラメータをミキシングアンプのチャンネル単位で所定順序に記憶する記憶部を有し、制御手段は更に、トリガー信号の入力に応答して、ミキシングアンプの各チャンネルに対して出力するために切換手段内のオーディオ入力部とオーディオ出力部が接続されているかどうか検索し、接続されず空いているオーディオ出力部に前記切換手段の１のオーディオ入力部を接続し、この１のオーディオ入力部と接続されたオーディオ出力部に接続されて切換手段からオーディオ信号が入力されるミキシングアンプの各チャンネルのパラメータ回路とルーティング部に、トリガー信号に対応して制御手段の記憶部から各パラメータを送出して音声処理を行ない、ルーティング部を介して所定出力先に処理信号を送出する音声多重処理型ミキシングシステムを提供する。
【００１６】
【発明の実施の形態】
次に本発明の実施の形態について説明する。図１は本発明にかかる音声多重処理型ミキシングシステムの基本構成を示したブロック図である。図において１は特定の入力を１または２以上の任意の出力に接続するマトリクスなどの切換手段、２は切換手段１から出力された各オーディオ信号に対し、各パラメータ回路Ｐ１〜Ｐｎにより、対応する各チャンネル毎にミキシング、音量調整、音像定位等の処理を行い、ルーティングにより所定の出力先に出力を行うミキシングアンプ、３は切換手段１やミキシングアンプ２を制御する制御手段である。
【００１７】
切換手段１にはマイクなどの各入力機器ＭＣ１〜ＭＣｎが、それぞれ入力端子ＩＮ１〜ＩＮｎに接続されている。切換手段１の各出力ＯＵＴ１〜ＯＵＴｎはミキシングアンプ２の各チャンネルＣＨ１〜ＣＨｎに接続されている。制御手段３には１または２以上のカメラタリー等のトリガー信号Ｓｔが入力されると共に切換手段１、ミキシングアンプ２と接続されている。
【００１８】
いま、トリガー信号Ｓｔが制御手段３に入力されると、制御手段３は図示しない記憶手段に予め記憶されているそのトリガー信号Ｓｔに対応した接続手順、パラメータを検索し、その接続手順に従って切換手段１を切り換える。この接続手順は、例えば図２に示すようにあるトリガー信号Ｓｔに対し、入力機器ＭＣ１〜ＭＣｎの接続を順次切り換えるといったもので、前述の図５の例ではレーシングカー１１の動作に合わせて各マイクＭ１〜Ｍ５への到達時間からカメラタリー信号と各マイクＭ１〜Ｍ５への切り換え時間を予め設定しておくことになる。そして、切換手段１はこの接続手順に従い所定の出力（例えばＯＵＴ１）に接続する入力を順次切り換える。
【００１９】
さらに、制御手段３はこの所定の出力（ＯＵＴ１）に対応したミキシングアンプ２のチャンネル（ＣＨ１）内のパラメータ回路１に、前記記憶手段に記憶されていたフェーダー操作、音像定位等のパラメータを送出して、このパラメータと同一の操作を再現させる。これにより、複雑なミキシング操作をその場で一々行う必要がなくなり、時間軸の変動や、高速の操作が要求されるソフトにも容易に対応できる。また、切換手段１で接続される所定の出力は、単一（例えばＯＵＴ１）である必要はなく、複数の出力（例えばＯＵＴ１，ＯＵＴ２）に特定の入力（ＩＮ１）を接続することもできる。この場合、前記パラメータも対応する各チャンネル（ＣＨ１，ＣＨ２）にそれぞれのチャンネル（ＣＨ１，ＣＨ２）毎のパラメータを送出することができる。
【００２０】
また、切換手段１が複数の出力に接続する場合、制御手段３はミキシングアンプ２の空いているチャンネルを検索し、この空いているチャンネルに応じた出力に対して入力を接続させる。つまり、例えばある時点で１つの入力ＩＮ１が既に複数の出力ＯＵＴ１，ＯＵＴ２に接続されている時に、さらにもう１つの入力ＩＮ２を３箇所の出力に接続する必要があるとする。この場合、制御手段３はミキシングアンプのチャンネルを検索し、既に出力１，２に対応したチャンネルＣＨ１，ＣＨ２が使用されていると判断すると、それ以外の出力ＯＵＴ３〜、つまりチャンネルＣＨ３，ＣＨ４，ＣＨ５に対応した出力ＯＵＴ３，ＯＵＴ４，ＯＵＴ５に入力ＩＮ２を接続する。
【００２１】
このように入力と出力の対応関係を固定していないので、ミキシングアンプの回路（チャンネル）を有効に利用できる。また、通常入力と出力は１：１に対応する場合が多いので、このような空いているチャンネルを検索して使用することとしても、チャンネルが不足するという事態が生じる確率は極めて希であるので問題はない。
【００２２】
また、各チャンネルＣＨ１〜ＣＨｎのパラメータ回路１〜ｎからの出力はルーティング部で所望の出力先１〜ｎに接続される。図３はこのようなシステムを概念的に表したものであり、複数の入力ＩＮ１〜ｎが切換手段１により、各パラメータＰｘー１〜ｎに接続され、このそれぞれのパラメータＰｘー１〜ｎの出力をルーティングにより切り換えて、所定の出力先ＯＵＴ１〜ｎに出力する。また各パラメータＰｘ−１〜ｎにはそれぞれの入力に対応したパラメータが設定される。そして、このパラメータＰｘ−１〜ｎはミキシングコンソール上で設定された任意のフェーダー操作、スイッチ操作を記憶させ、これを任意のチャンネルＣＨ１〜ＣＨｎのパラメータとして送出することが可能であり、さらに、外部の記憶装置あるいは他の装置から入力されたものを各チャンネルＣＨ１〜ＣＨｎのパラメータとして送出することも可能である。このようにして、複数の入力ＩＮ１〜ＩＮｎから入力した任意のオーディオ信号を、複数のパラメータにより処理し、任意の出力先に接続することができる。
【００２３】
【実施例】
次に本発明の好適な実施例について説明する。図４は本発明の実施例である音声多重処理型ミキシングシステムの構成を示すブロック図である。図中、図１と同一構成要素には同一符号を付し、説明を省略する。
【００２４】
この例では、切換手段１にＡＶＬマトリクス（オーディオビデオリンクマトリクス）を用い、各入力機器であるマイクＭＩＣからの出力は制御手段３の一部を構成するヘッドアンプ部３ａを介してＡＶＬマトリクス１の各入力ｉｎ１〜ｉｎ４８に接続されている。このヘッドアンプ部３ａは、マイクＭＩＣからのオーディオ信号を増幅し、ミキシングアンプ２で処理できるレベルに調整するヘッドアンプＨＡと導入（ｉｎ），導出（ｏｕｔ）時間、フェードイン（ａｔｔａｃｋ），フェードアウト（ｒｅｌｅａｓｅ）時間、全体音量（ＡＶＬ  ｌｅｖｅｌ）、音像定位（ｐａｎ）、出力先（ｒｏｕｔｉｎｇ）等のパラメータをチャンネル単位で格納する記憶手段ＡＶＬ１〜４により構成されている。なお、この記憶手段ＡＶＬ１〜４はＲＡＭ等の半導体素子や磁気ディスク、光ディスク等よりなるが、制御手段３つまりＣＰＵその他の周辺機器と組み合わされるシステム設計、プログラムにより適宜決められる。
【００２５】
ミキシングアンプ２の各チャンネルＣＨ１〜２４は、それぞれＡＶＬマトリクス１の対応する出力ｏｕｔ１〜２４と接続されている。この各チャンネルＣＨ１〜２４の内部には入力信号レベルを適切な値に調整するボルテージコントロールアンプＶＣＡ、音量調整用のフェーダーＦＤＲ、音像定位調整用のパンＰＡＮ、出力先の切換制御のためのルーティングＲＯＵＴＩＮＧ等があり、入力されたオーディオ信号に必要な処理を加える。
【００２６】
次にこのような構成のシステムの動作について説明する。ここでは、２つの入力ｉｎ１，ｉｎ２に接続されているマイクＭＩＣからの信号を、それぞれ２箇所と３箇所のチャンネルでの処理を必要とする場合について説明する。入力ｉｎ１は制御手段３により、２箇所の出力ＯＵＴ１，ＯＵＴ２に接続される。また入力ｉｎ２は、制御手段３が出力ＯＵＴ１，ＯＵＴ２が既に接続され、チャンネルＣＨ１，ＣＨ２が使用されていることを検知し、他の空いている出力を検索して、該当する出力ＯＵＴ３，ＯＵＴ４，ＯＵＴ５に接続する。
【００２７】
各入力ｉｎ１，ｉｎ２対応するヘッドアンプ部３ａのチャンネルｃｈ１，ｃｈ２には、ヘッドアンプＨＡが有り、マイクＭＩＣからのオーディオ信号を必要なレベルに調整するとともに、対応するミキシングアンプ２がデジタルタイプであれば内蔵するＡ／ＤコンバータによりＡ／Ｄ変換して、アナログ信号をデジタル信号とすることもできる。また、ヘッドアンプ部３ａのチャンネルｃｈ１の記憶手段ＡＶＬ１，２には、ミキシングアンプ２での処理を行うための２種類のパラメータが、それぞれ前もって格納されている。制御手段３はＡＶＬマトリクス１でオーディオ信号路を図の実線で示すように接続するとともに、図の破線で示すように記憶手段ＡＶＬ１，２の内容を、対応するミキシングアンプの各チャンネルＣＨ１，２に送出する。
【００２８】
すなわち、例えば記憶手段ＡＶＬ１に格納されている各パラメータは、図５に示すように、トリガー信号ＳｔであるＴＡＬＬＹに対応してミキシングアンプで操作する必要のあるパラメータ、導入（ｉｎ），導出（ｏｕｔ）時間、フェードイン（ａｔｔａｃｋ），フェードアウト（ｒｅｌｅａｓｅ）時間、全体音量（ＡＶＬ  ｌｅｖｅｌ）、音像定位（ｐａｎ）、出力先（ｒｏｕｔｉｎｇ）等が格納され、これらは前もって該当するミキシングアンプ２のチャンネルＣＨ１で行った操作、あるいは外部からの入力によるものを制御部３が記憶していたものである。そして、ミキシングアンプ２はこのようなパラメータを各処理回路であるＶＣＡ（ボルテージコントロールアンプ）、ＦＤＲ（フェーダー）、ＰＡＮ（パン）、ＲＯＵＴＩＮＧ（ルーティング）等に与えることにより、同一の操作を再現し、インジケータ等に表示でき、処理された信号はＲＯＵＴＩＮＧ（ルーティング）回路により所定の出力先に送出されるようになっている。
【００２９】
同様にして、ヘッドアンプ部３ａの記憶手段ＡＶＬ１，２，３の内容は、破線で示すように出力ＯＵＴ３，４，５を介してミキシングアンプのチャンネルＣＨ３，４，５に与えられる。なお、この例では、入力４８はどこにも接続されず、出力２４に対応するチャンネルＣＨ２４は入力待ちの状態になっている。
【００３０】
なお、各記憶手段ＡＶＬ１〜４に格納するパラメータは、事前に例えばリハーサル時等ミキシングコンソール上で設定されたフェーダーあるいはスイッチ操作等を格納したり、外部の記憶装置あるいは他の機器から入力したパラメータを格納しておくことが可能である。従って、ミキシングコンソール上の任意のモジュール（１つの入力あるいは機能毎に区分され、コンソール上に配置されたスイッチ群）で設定されたパラメータを所望のチャンネルＣＨ１〜２４に転送して再現できる。
【００３１】
このように、タリー等のトリガー信号Ｓｔに対応させたミキシング操作を前もって記憶し、この操作をそのトリガー信号Ｓｔにより再現するので、現場では複雑な操作を行う必要がなくなり、しかも機械が行う操作なので速いスピードにも容易に対応できる。また、特定の入力を複数の出力に対応させることができ、国際放送などの基本的には１つのソースで複数のソフトを制作する場合にも対応でき、その場合には、空いている回路を有効に利用することができるので、装置はコンパクトになる。
【００３２】
【発明の効果】
以上のように本発明によれば、外部からトリガー信号を入力することにより予め決められた手順で切換手段の入力を切り換えて１または２以上の所定の出力と接続させるので、被写体を捉えているタリー信号やセンサーの信号をトリガー信号とすることにより、高速で移動する被写体や、動きの激しいスポーツのＳＥ等を的確に捉えることが可能となり、複数の出力にも対応でき、ミクサーの負担も軽減できる。
【００３３】
また、本発明によれば、上記に加え制御手段は複数の音声ソフトの制作に必要な各パラメータを記憶し、トリガー信号に対応した各パラメータをミキシングアンプの対応する各チャンネルに送出するので、音量調整、音像定位等の複雑なミキシング操作を予め任意のモジュール等で設定しておき、各タリー等のトリガーの種類によりこれらの設定をそれぞれ必要なチャンネルで再現させることができ、人手では困難な操作や、多数の入出力の操作を省人力で的確に行うことが可能となった。
【００３４】
また、本発明によれば、制御手段はミキシングアンプの各チャンネルを検索し、使用していないチャンネルに対応して前記切換手段の入力を出力に切り換えるとともに、対応するミキシングアンプのチャンネルに前記各パラメータを送出するので、国際放送などの基本的に１つのソースに対し複数のソフトを制作する場合など、複数の出力に効率よく対応でき、ミキシングアンプの回路、つまり各チャンネルの無駄が少なくなり、ミキシングアンプの小型、軽量化を図ることができる。
【図面の簡単な説明】
【図１】  本発明にかかる音声多重処理型ミキシングシステムの基本構成を示すブロック図である。
【図２】  トリガー信号と各マイク入力の切換操作のタイミングを例示した図である。
【図３】  本発明にかかる音声多重処理型ミキシングシステムの構成概念を示した図である。
【図４】  本発明の実施例である音声多重処理型ミキシングシステムの構成を示すブロック図である。
【図５】  トリガー信号であるＴＡＬＬＹ入力と、ミキシングアンプの操作の一部であるＶＣＡの動作の関係を例示したタイミングチャートである。
【図６】  サーキットにおけるミキシングシステムの一例を示した図である。
【図７】  従来例を示した図で、ミキシングアンプの構成概念を示したものである。
【図８】  従来例を示した図で、複数入力／複数出力に対応したミキシングアンプの構成概念を示したものである。
【図９】  従来例を示した図で、複数のパラメータの設定が可能なミキシングアンプの構成概念を示したものである。
【符号の説明】
１    切換手段
２    ミキシングアンプ
３    制御手段
３ａ  ヘッドアンプ部
Ｍ１〜Ｍ５  マイク
ＭＣ１〜ＭＣｎ  マイク
ＭＩＣ  マイク
ＶＣＡ  ボルテージコントロールアンプ
ＦＤＲ  フェーダー
ＰＡＮ  パン（定位）
ＲＯＵＴＩＮＧ  ルーティング（出力先）
ＡＶＬ１〜４  記憶手段
Ｐ１〜Ｐｎ  パラメータ
【図１】
0003839085.tif 000002
【図２】
0003839085.tif 000003
【図３】
0003839085.tif 000004
【図４】
0003839085.tif 000005
【図５】
0003839085.tif 000006
【図６】
0003839085.tif 000007
【図７】
0003839085.tif 000008
【図８】
0003839085.tif 000009
【図９】
0003839085.tif 000010